(57)【特許請求の範囲】
【請求項１】
二つの入力信号の位相差を測定可能な位相差測定器であって、
第１の入力信号の位相を変化させることのできる移相器と、
上記移相器の出力信号と第２の入力信号とを電力合成する合成器と、
上記合成器の出力の電力値を測定する電力測定部と、
上記合成器の出力の電力値と所定の閾値とを比較する電力比較器と
を含み、
上記移相器は、移相量を変更可能であり、
上記閾値と、上記移相量に応じて変化する上記合成器の出力の電力値と、の大小関係が変わる時の移相量が、上記移相器の移相量に設定されるように構成されている
ことを特徴とする位相差測定器。
【請求項２】
Ｎ個（ただし、Ｎは予め定められた整数でありＮ≧３を満たす）の入力信号のうち第Ｎの入力信号と当該第Ｎの入力信号以外の任意の第ｎ（ただし、ｎは１以上Ｎ−１以下の各整数を表す）の入力信号との位相差を測定可能な位相差測定器であって、
上記第Ｎの入力信号をＮ−１個に電力分配する電力分配器と、
Ｎ−１個の移相器と、
Ｎ−１個の合成器と、
電力測定部と
を含み、
第ｎの移相器は、上記電力分配器の第ｎの出力信号の位相を変化させることができ、
第ｎの合成器は、上記第ｎの移相器の出力信号と第ｎの入力信号とを電力合成し、
上記電力測定部は、入力された上記第ｎの合成器の出力の電力値を測定する
位相差測定器。
【請求項３】
請求項２に記載の位相差測定器において、
さらに、Ｎ−１個の入力側接点はそれぞれＮ−１個の上記合成器のうちいずれかに接続されており１個の出力側接点は上記電力測定部に接続されている単極Ｎ−１投スイッチを含む
ことを特徴とする位相差測定器。
【請求項４】
請求項２または請求項３に記載の位相差測定器において、
上記電力測定部によって得られた電力値と所定の閾値とを比較する電力比較器を含み、
各上記移相器は、移相量を変更可能であり、
上記閾値と、上記移相量に応じて変化する上記第ｎの合成器の出力の電力値と、の大小関係が変わる時の移相量が、上記第ｎの移相器の移相量に設定されるように構成されている
ことを特徴とする位相差測定器。
【発明の詳細な説明】
【技術分野】
【０００１】
本発明は、位相差測定器に関する。
【背景技術】
【０００２】
規則的に配列された複数のアンテナ素子で構成されたアレーアンテナシステムによるビームフォーミングは、所定の励振条件で（例えば適切な位相を持つように）各アンテナ素子に給電することによって、アンテナ指向性利得を所望の方向で最大化する技術である。
【０００３】
図１にアレーアンテナシステムの例および当該システムによって得られるアンテナ放射パターンの例を示す。図１は、Ｎ個のアンテナ素子で構成されるリニアアレーアンテナシステムを例示している。形成されるビームのアンテナ指向性利得が最大となる方向がエンドファイアＬの垂線に対して角度θとなるように、隣接する二つのアンテナ素子に入力される二つの入力信号の間の位相差φを設定する場合、θとφの間には以下の関係がある。θ=arcsin(λφ/ｄ)
ここで、ｄは隣接する二つのアンテナ素子の距離であり、λは波長である。
【０００４】
この式から分かるように、位相差φが変化すると、角度θが変化し、所望の方向にビームを形成できなくなる。また、各アンテナ素子に送られる入力信号間の位相差が所定値と異なる場合、所望方向での指向性利得が低下するだけでなく、その周囲により高い干渉を与える可能性もある。このため、入力信号間の位相差は、ビームフォーミング機能を有するアレーアンテナシステムの正常性を判断する一つの指標となる。位相差の測定は、先行技術文献を挙げるまでもなく例えばロックインアンプやベースバンドシグナルアナライザなどで実現できる。
【発明の概要】
【発明が解決しようとする課題】
【０００５】
ロックインアンプの例からも明らかなように、同じ周波数の二つの入力信号間の位相差φは、二つの入力信号を乗算し、乗算結果の低域成分の電圧を観測することによって測定が可能である。ここで、低域成分の電圧は位相差φの余弦関数として表される。このため、電圧振幅が最大および最小となる周辺では、位相差φの変化に対する電圧値変動が小さくなり、位相差φの測定精度が著しく低下する。また、ベースバンドシグナルアナライザは種々の機能を実現する構成を有しているものの高価である。
【０００６】
本発明は、簡易な構成でありながら位相差を高い感度で測定可能な位相差測定器を提供することを目的とする。
【課題を解決するための手段】
【０００７】
本発明の位相差測定器は、第１の入力信号の位相を変化させることのできる移相器と、移相器の出力信号と第２の入力信号とを電力合成する合成器と、合成器の出力の電力値を測定する電力測定部とを含む。
【０００８】
あるいは、本発明の位相差測定器は、Ｎ個（ただし、Ｎは予め定められた整数でありＮ≧３を満たす）の入力信号のうち第Ｎの入力信号と当該第Ｎの入力信号以外の任意の第ｎ（ただし、ｎは１以上Ｎ−１以下の各整数を表す）の入力信号との位相差を測定可能な位相差測定器であって、第Ｎの入力信号をＮ−１個に電力分配する電力分配器と、Ｎ−１個の移相器と、Ｎ−１個の合成器と、電力測定部とを含む。第ｎの移相器は、電力分配器の第ｎの出力信号の位相を変化させることができ、第ｎの合成器は、第ｎの移相器の出力信号と第ｎの入力信号とを電力合成し、電力測定部は、入力された合成器の出力の電力値を測定する。
【発明の効果】
【０００９】
本発明は、位相差を高い感度で測定できるように一つの入力信号の位相を移相器によって調整する構成であるから、簡易な構成でありながら位相差を高い感度で測定できる。
【図面の簡単な説明】
【００１０】
【図１】アレ―アンテナシステムとアンテナ放射パターンの例。（ａ）ビームのアンテナ指向性利得が最大となる方向θとエンドファイアとの関係。（ｂ）隣接する二つのアンテナ素子に入力される二つの入力信号の間の位相差φと方向θとの関係。
【図２】第１実施形態の位相差測定器の構成例。
【図３】第１の入力信号の位相を移相しない場合の電力値の波形例。
【図４】第１の入力信号の位相を移相した場合の電力値の波形例。
【図５】第２実施形態の位相差測定器の構成例。
【図６】第３実施形態の位相差測定器の構成例。
【図７】第４実施形態の位相差測定器の構成例。
【図８】第１参考形態の位相差測定器の構成例。
【図９】第１の入力信号の位相を移相しない場合の電圧値の波形例。
【図１０】第１の入力信号の位相を移相した場合の電圧値の波形例。
【図１１】第２参考形態の位相差測定器の構成例。
【図１２】第３参考形態の位相差測定器の構成例。
【図１３】第４参考形態の位相差測定器の構成例。
【発明を実施するための形態】
【００１１】
図面を参照して本発明の実施形態を説明する。以下、各実施形態において共通の構成要素には同じ符号を割り当てて重複説明を省略する。
【００１２】
＜第１実施形態＞
図２に本発明による第１実施形態を示す。第１実施形態の位相差測定器１００は、二つの入力信号（第１の入力信号と第２の入力信号）の位相差を測定可能な位相差測定器であり、第１の入力信号の位相を変化させることのできる移相器１１０と、移相器１１０の出力信号と第２の入力信号とを電力合成する合成器１３０と、合成器１３０の出力の電力値を測定する電力測定部１８０と、電力測定部１８０によって得られた電力値から位相差を求める位相差出力部１９０を含む。第１の入力信号が入力される第１端子１０１ａは、二つのアンテナ素子で構成されているアレーアンテナシステムにおける一方のアンテナ素子への給電線に直接または例えば分配器を介して接続されており、第２の入力信号が入力される第２端子１０１ｂは当該アレーアンテナシステムにおける他方のアンテナ素子への給電線に直接または例えば分配器を介して接続されている。この場合、第１の入力信号と第２の入力信号は位相同期している。
【００１３】
移相器１１０は、所定の移相量だけ第１の入力信号の位相を変化させることができる。なお、正確を期すと、移相量がゼロの場合も許容されるので、この場合、移相器１１０は第１の入力信号の位相を変化させない、と言うべきである。しかし、移相量がゼロか否かに応じて言葉遣いを替えることによる冗長な説明を避けるため、以下の説明では、特に断りの無い限り、移相量がゼロの場合であっても「移相器は、…を変化させる」という表現を用いることにする。
【００１４】
上述の「所定の移相量」について説明する。この実施形態では、アレーアンテナシステムの正常性の点検のために位相差測定器１００を使用することを想定している。このため、アレーアンテナシステムにおける二つの入力信号間の設計位相差Φは既知であり、また、通常、アレーアンテナシステムにおける二つの入力信号間の実際の位相差は大きくないものと想定されることを考慮して、位相差φに対する電力値を表す関数が当該設計位相差Φにて奇関数となるように「所定の移相量」が定められる。
【００１５】
このことを具体的に説明する。第１の入力信号と第２の入力信号を合成器１３０で合成して得られる信号の電力値の、入力信号間の位相差φに対する波形は、図３に示すように正弦関数として表される。このとき、入力信号間の設計位相差Φが９０度の場合に位相差を測定すると、電力測定部１８０によって位相差φが９０度の近傍での電力値が得られると期待されるが、位相差φが９０度の近傍では位相差φに対する電力値の振幅変動が小さいため、位相差φを正確に測定することが難しい。例えば図３によると、電力値の０．１ｍＷあたりの位相差変化はおよそ２６度となる。また、位相差φが９０度での縦軸に関して電力値の波形が線対称となるため、電力値から位相差の正負の判別がつかない。例えば、位相差φが８９度の場合でも９１度の場合でも電力値は同じである。このため、移相器１１０の移相量δを９０度に設定する。この場合の入力信号間の位相差φに対する電力値の波形を図４に示す。移相量δを９０度に設定することによって位相差φに対する電力値の波形は設計位相差Φ＝９０度で電力値がゼロとなる正弦関数（奇関数）として表されるので、位相差φが９０度の近傍における電力値から位相差の正負の判別が可能となる。また、移相量δがゼロの場合と比較して位相差φが９０度の近傍では位相差φに対する電力値の振幅変動が大きくなるため、位相差φをより正確に測定することが可能となる。図４によると、電力値の０．１ｍＷあたりの位相差変化はおよそ４度である。したがって、移相量δを９０度に設定した場合の位相差φの測定精度は、移相量δを設定しない場合の位相差φの測定精度の約６倍になる。このように、アレーアンテナシステムにおける入力信号間の設計位相差は既知であるから、移相器１１０の移相量を入力信号間の設計位相差に応じて設定することによって、位相差の高感度な測定が可能となる。
【００１６】
＜第２実施形態＞
図５に本発明による第２実施形態を示す。第２実施形態の位相差測定器２００は、以下の点で、第１実施形態の位相差測定器１００と異なる。
（１）位相差測定器２００は、合成器１３０の出力の電力値と所定の閾値とを比較する電力比較器１５０を含んでいる。
（２）位相差測定器２００の移相器１１０は、移相量を変更可能な移相器である（以下、この移相器１１０を可変移相器１１１と呼称する）。
（３）位相差測定器２００は、閾値と、移相量に応じて変化する合成器１３０の出力の電力値と、の大小関係が変わる時の移相量が、可変移相器１１１の移相量に設定されるように構成されている。
【００１７】
第１実施形態では、二つの入力信号間の設計位相差が既知であることを前提に、予め移相器１１０の移相量を入力信号間の設計位相差に応じて設定した。これに対して、第２実施形態では、二つの入力信号間の設計位相差が既知でない場合でも、位相差φに対する電力値を表す関数が二つの入力信号間の設計位相差にて奇関数となるような「所定の移相量」を求めて、第１実施形態と同じ原理で位相差を測定する実施形態である。
【００１８】
可変移相器１１１の移相量を連続的或いは離散的に変化させると、移相量に応じて合成器１３０の出力の電力値が得られる。なお、離散的に変化させる場合は、通常、移相量の微小変化量とその符号を固定して、順次、移相量を得る。電力比較器１５０は、移相量に応じて得られる合成器１３０の出力の電力値と、閾値と、を比較する。この比較によって、合成器１３０の出力の電力値と閾値との大小関係が移相量に応じて分かる。移相量に応じて得られる合成器１３０の出力の電力値と、閾値と、の大小関係が変わる時の移相量を、可変移相器１１１の移相量に設定し、この時に得られる合成器１３０の出力の電力値から位相差出力部１９０によって位相差が求められる。
【００１９】
閾値について、例えば、入力信号間の位相差φに対する電力値の波形が点対称となる時の電力値が既知であれば、当該電力値が閾値に予め設定される。或いは、例えば図示しない閾値設定部が入力信号の電力から入力信号間の位相差φに対する電力値の波形が点対称となる時の電力値を求め、得られた電力値を閾値として設定してもよい。
【００２０】
可変移相器１１１の移相量の変更は、例えば、図示しない移相量設定部が制御信号を可変移相器１１１に送り、可変移相器１１１は受信した制御信号に応じて連続的或いは離散的に移相量を設定することによって、実現できる。また、第２実施形態の例では、電力比較器１５０は、合成器１３０の出力の電力値と閾値との大小関係が変わるとトリガ信号を発し、可変移相器１１１はトリガ信号を受信すると移相量の変更を停止し、その時の移相量が位相差測定に用いられる移相量として設定される。
【００２１】
＜第３実施形態＞
図６に本発明による第３実施形態を示す。第３実施形態の位相差測定器３００は、Ｎ個（ただし、Ｎは予め定められた整数でありＮ≧３を満たす）の入力信号のうち第Ｎの入力信号と当該第Ｎの入力信号以外の任意の第ｎ（ただし、ｎは１以上Ｎ−１以下の各整数を表す）の入力信号との位相差を測定可能な位相差測定器であり、いわば第１実施形態の位相差測定器１００の構成を拡張した形態である。第３実施形態の位相差測定器３００の個々の位相差の測定原理は、第１実施形態の位相差測定器１００のそれと同じである。
【００２２】
位相差測定器３００は、第Ｎの入力信号をＮ−１個に電力分配する電力分配器１６０と、Ｎ−１個の移相器１１０（１），１１０（２），１１０（３），…，１１０（Ｎ−１）と、Ｎ−１個の合成器１３０（１），１３０（２），１３０（３），…，１３０（Ｎ−１）と、電力測定部１８０と、位相差出力部１９０を含む。第ｎの移相器１１０（ｎ）は、電力分配器１６０の第ｎの出力信号の位相を変化させることができる。第Ｎの入力信号と第ｎの入力信号との位相差を測定する際の第ｎの移相器１１０（ｎ）の移相量については、第１実施形態において「第１の入力信号」を「第Ｎの入力信号」に、「第２の入力信号」を「第ｎの入力信号」にそれぞれ読み替えたときの説明のとおりである。また、第ｎの合成器１３０（ｎ）は、第ｎの移相器１１０（ｎ）の出力信号と第ｎの入力信号とを電力合成する。電力測定部１８０は、入力された合成器１３０（１），１３０（２），１３０（３），…，１３０（Ｎ−１）それぞれの出力の電力値を測定する。位相差出力部１９０は、電力測定部１８０によって得られた個々の電力値から、第Ｎの入力信号と第１の入力信号との位相差、第Ｎの入力信号と第２の入力信号との位相差、第Ｎの入力信号と第３の入力信号との位相差、…、第Ｎの入力信号と第Ｎ−１の入力信号との位相差をそれぞれ求める。
【００２３】
第ｍ（ただし、ｍは１以上Ｎ以下の各整数を表す）の入力信号が入力される第ｍ端子１０１（ｍ）は、Ｎ個のアンテナ素子で構成されているアレーアンテナシステムにおける第ｍのアンテナ素子への給電線に直接または例えば分配器を介して接続されている。この場合、Ｎ個の入力信号は位相同期している。
【００２４】
第３実施形態の位相差測定器３００は、第２実施形態と同様に、電力測定部１８０によって得られた各合成器１３０（１），１３０（２），１３０（３），…，１３０（Ｎ−１）の出力の電力値と、所定の閾値と、をそれぞれ比較する電力比較器１５０を含んでもよい。この場合、各移相器１１０（１），１１０（２），１１０（３），…，１１０（Ｎ−１）は、移相量を変更可能な移相器、つまり可変移相器である。また、この場合の位相差測定器３００は、第２実施形態と同様に、閾値と、移相量に応じて変化する第ｎの合成器１３０（ｎ）の出力の電力値と、の大小関係が変わる時の移相量が、第ｎの移相器１１０（ｎ）の移相量に設定されるように構成されている。このような構成については、第２実施形態において「第１の入力信号」を「第Ｎの入力信号」に、「第２の入力信号」を「第ｎの入力信号」にそれぞれ読み替えたときの説明のとおりである。
【００２５】
＜第４実施形態＞
図７に本発明による第４実施形態を示す。第４実施形態の位相差測定器４００は、第３実施形態の位相差測定器３００の変形例であり、位相差測定器４００と位相差測定器３００とで異なる事項についてのみ説明する。
【００２６】
第４実施形態の位相差測定器４００は、単極Ｎ−１投スイッチ１７０を含んでいる。単極Ｎ−１投スイッチ１７０のＮ−１個の入力側接点はそれぞれＮ−１個の合成器１３０（１），１３０（２），１３０（３），…，１３０（Ｎ−１）のうちいずれかに接続されており、単極Ｎ−１投スイッチ１７０の１個の出力側接点は電力測定部１８０に接続されている。この構成によると、スイッチ１７０による選択に応じて、Ｎ−１個の位相差（第Ｎの入力信号と第１の入力信号との位相差、第Ｎの入力信号と第２の入力信号との位相差、第Ｎの入力信号と第３の入力信号との位相差、…、第Ｎの入力信号と第Ｎ−１の入力信号との位相差）が時分割で得られる。
【００２７】
上述のいずれの実施形態であっても、合成器を使用しているため、入力信号が変調信号であっても不要な相互変調ひずみを発生することがなく、無変調連続波と同じ精度で位相差を測定することができる。合成器として、例えば、ウィルキンソンカプラ、ブランチラインカプラなどを使用できる。ただし、ブランチラインカプラのように合成器に入力される信号間に位相差Ｘが発生する場合には、位相差出力部は、当該位相差Ｘを考慮して、位相差を求めるように設計される。
【００２８】
この他、本発明は上述の実施形態に限定されるものではなく、本発明の趣旨を逸脱しない範囲で適宜変更が可能である。
【００２９】
＜参考例＞
上述の各実施形態の位相差測定器は合成器を用いて構成されていたが、以下、合成器に替えて乗算器（あるいは混合器）を用いて構成された位相差測定器を上記各実施形態に対応する参考形態として説明する。なお、上述の実施形態と下記の参考形態とは類似しているが、実施形態とは独立して説明する。
【００３０】
＜第１参考形態＞
図８に第１参考形態を示す。第１参考形態の位相差測定器５００は、二つの入力信号（第１の入力信号と第２の入力信号）の位相差を測定可能な位相差測定器であり、第１の入力信号の位相を変化させることのできる移相器１１０と、移相器１１０の出力信号と第２の入力信号とをミキシングする乗算器５１０と、乗算器５１０の出力の低域成分を通過させるローパスフィルタ５２０と、ローパスフィルタ５２０の出力の電圧値を測定する電圧測定部５３０と、電圧測定部５３０によって得られた電圧値から位相差を求める位相差出力部１９０を含む。第１の入力信号が入力される第１端子１０１ａは、二つのアンテナ素子で構成されているアレーアンテナシステムにおける一方のアンテナ素子への給電線に直接または例えば分配器を介して接続されており、第２の入力信号が入力される第２端子１０１ｂは当該アレーアンテナシステムにおける他方のアンテナ素子への給電線に直接または例えば分配器を介して接続されている。この場合、第１の入力信号と第２の入力信号は位相同期している。
【００３１】
移相器１１０は、所定の移相量だけ第１の入力信号の位相を変化させることができる。なお、正確を期すと、移相量がゼロの場合も許容されるので、この場合、移相器１１０は第１の入力信号の位相を変化させない、と言うべきである。しかし、移相量がゼロか否かに応じて言葉遣いを替えることによる冗長な説明を避けるため、以下の説明では、特に断りの無い限り、移相量がゼロの場合であっても「移相器は、…を変化させる」という表現を用いることにする。
【００３２】
上述の「所定の移相量」について説明する。この参考形態では、アレーアンテナシステムの正常性の点検のために位相差測定器５００を使用することを想定している。このため、アレーアンテナシステムにおける二つの入力信号間の設計位相差Φは既知であり、また、通常、アレーアンテナシステムにおける二つの入力信号間の実際の位相差は大きくないものと想定されることを考慮して、位相差φに対する電圧値を表す関数が当該設計位相差Φにて奇関数となるように「所定の移相量」が定められる。
【００３３】
このことを具体的に説明する。第１の入力信号と第２の入力信号を乗算器５１０でミキシングして得られる信号の電圧値の、入力信号間の位相差φに対する波形は、図９に示すように余弦関数として表される。このとき、入力信号間の設計位相差Φが０度の場合に位相差を測定すると、電圧測定部５３０によって位相差φが０度の近傍での電圧値が得られると期待されるが、位相差φが０度の近傍では位相差φに対する電圧値の振幅変動が小さいため、位相差φを正確に測定することが難しい。例えば図９によると、電力値の０．１Ｖあたりの位相差変化はおよそ２５度となる。また、位相差φが０度での縦軸に関して電圧値の波形が線対称となるため、電圧値から位相差の正負の判別がつかない。例えば、位相差φが１度の場合でも−１度の場合でも電圧値は同じである。このため、移相器１１０の移相量δを９０度に設定する。この場合の入力信号間の位相差φに対する電圧値の波形を図１０に示す。移相量δを９０度に設定することによって位相差φに対する電圧値の波形は設計位相差Φ＝０度で電圧値がゼロとなる正弦関数（奇関数）として表されるので、位相差φが０度の近傍における電圧値から位相差の正負の判別が可能となる。また、移相量δがゼロの場合と比較して位相差φが９０度の近傍では位相差φに対する電圧値の振幅変動が大きくなるため、位相差φをより正確に測定することが可能となる。図１０によると、電力値の０．１Ｖあたりの位相差変化はおよそ６度である。したがって、移相量δを９０度に設定した場合の位相差φの測定精度は、移相量δを設定しない場合の位相差φの測定精度の約４倍になる。このように、アレーアンテナシステムにおける入力信号間の設計位相差は既知であるから、移相器１１０の移相量を入力信号間の設計位相差に応じて設定することによって、位相差の高感度な測定が可能となる。
【００３４】
＜第２参考形態＞
図１１に第２参考形態を示す。第２実施形態の位相差測定器６００は、以下の点で、第１参考形態の位相差測定器５００と異なる。
（１）位相差測定器６００は、ローパスフィルタ５２０の出力の電圧値の極性を判別する極性判別器５５０を含んでいる。
（２）位相差測定器６００の移相器１１０は、移相量を変更可能な移相器である（以下、この移相器１１０を可変移相器１１１と呼称する）。
（３）位相差測定器６００は、ローパスフィルタ５２０の出力の電圧値の極性が変わる時の移相量が可変移相器１１１の移相量に設定されるように構成されている。
【００３５】
第１参考形態では、二つの入力信号間の設計位相差が既知であることを前提に、予め移相器１１０の移相量を入力信号間の設計位相差に応じて設定した。これに対して、第２参考形態では、二つの入力信号間の設計位相差が既知でない場合でも、位相差φに対する電圧値を表す関数が二つの入力信号間の設計位相差にて奇関数となるような「所定の移相量」を求めて、第１参考形態と同じ原理で位相差を測定する形態である。
【００３６】
可変移相器１１１の移相量を連続的或いは離散的に変化させると、移相量に応じてローパスフィルタ５２０の出力の電圧値が得られる。なお、離散的に変化させる場合は、通常、移相量の微小変化量とその符号を固定して、順次、移相量を得る。極性判別器５５０は、移相量に応じて得られるローパスフィルタ５２０の出力の電圧値の極性を判別する。この判別によって、ローパスフィルタ５２０の出力の電圧値の極性が移相量に応じて分かる。移相量に応じて得られるローパスフィルタ５２０の出力の電圧値の極性が変わる時の移相量を、可変移相器１１１の移相量に設定し、この時に得られるローパスフィルタ５２０の出力の電圧値から位相差出力部１９０によって位相差が求められる。
【００３７】
可変移相器１１１の移相量の変更は、例えば、図示しない移相量設定部が制御信号を可変移相器１１１に送り、可変移相器１１１は受信した制御信号に応じて連続的或いは離散的に移相量を設定することによって、実現できる。また、第２参考形態の例では、極性判別器５５０は、ローパスフィルタ５２０の出力の電圧値の極性が変わるとトリガ信号を発し、可変移相器１１１はトリガ信号を受信すると移相量の変更を停止し、その時の移相量が位相差測定に用いられる移相量として設定される。
【００３８】
＜第３参考形態＞
図１２に第３参考形態を示す。第３参考形態の位相差測定器７００は、Ｎ個（ただし、Ｎは予め定められた整数でありＮ≧３を満たす）の入力信号のうち第Ｎの入力信号と当該第Ｎの入力信号以外の任意の第ｎ（ただし、ｎは１以上Ｎ−１以下の各整数を表す）の入力信号との位相差を測定可能な位相差測定器であり、いわば第１参考形態の位相差測定器５００の構成を拡張した形態である。第３参考形態の位相差測定器７００の個々の位相差の測定原理は、第１参考形態の位相差測定器５００のそれと同じである。
【００３９】
位相差測定器７００は、第Ｎの入力信号をＮ−１個に電力分配する電力分配器１６０と、Ｎ−１個の移相器１１０（１），１１０（２），１１０（３），…，１１０（Ｎ−１）と、Ｎ−１個の乗算器５１０（１），５１０（２），５１０（３），…，５１０（Ｎ−１）と、Ｎ−１個のローパスフィルタ５２０（１），５２０（２），５２０（３），…，５２０（Ｎ−１）と、電圧測定部５３０と、位相差出力部１９０を含む。第ｎの移相器１１０（ｎ）は、電力分配器１６０の第ｎの出力信号の位相を変化させることができる。第Ｎの入力信号と第ｎの入力信号との位相差を測定する際の第ｎの移相器１１０（ｎ）の移相量については、第１参考形態において「第１の入力信号」を「第Ｎの入力信号」に、「第２の入力信号」を「第ｎの入力信号」にそれぞれ読み替えたときの説明のとおりである。また、第ｎの乗算器５１０（ｎ）は、第ｎの移相器１１０（ｎ）の出力信号と第ｎの入力信号とをミキシングする。ローパスフィルタ５２０（ｎ）は第ｎの乗算器５１０（ｎ）の出力の低域成分を通過させる。電圧測定部５３０は、入力されたローパスフィルタ５２０（１），５２０（２），５２０（３），…，５２０（Ｎ−１）それぞれの出力の電圧値を測定する。位相差出力部１９０は、電圧測定部５３０によって得られた個々の電圧値から、第Ｎの入力信号と第１の入力信号との位相差、第Ｎの入力信号と第２の入力信号との位相差、第Ｎの入力信号と第３の入力信号との位相差、…、第Ｎの入力信号と第Ｎ−１の入力信号との位相差をそれぞれ求める。
【００４０】
第ｍ（ただし、ｍは１以上Ｎ以下の各整数を表す）の入力信号が入力される第ｍ端子１０１（ｍ）は、Ｎ個のアンテナ素子で構成されているアレーアンテナシステムにおける第ｍのアンテナ素子への給電線に直接または例えば分配器を介して接続されている。この場合、Ｎ個の入力信号は位相同期している。
【００４１】
第３参考形態の位相差測定器７００は、第２参考形態と同様に、電圧測定部５３０によって得られた各ローパスフィルタ５２０（１），５２０（２），５２０（３），…，５２０（Ｎ−１）の出力の電圧値の極性を判別する極性判別器５５０を含んでもよい。この場合、各移相器１１０（１），１１０（２），１１０（３），…，１１０（Ｎ−１）は、移相量を変更可能な移相器、つまり可変移相器である。また、この場合の位相差測定器７００は、第２参考形態と同様に、移相量に応じて変化する第ｎのローパスフィルタ５２０（ｎ）の出力の電圧値の極性が変わる時の移相量が、第ｎの移相器１１０（ｎ）の移相量に設定されるように構成されている。このような構成については、第２参考形態において「第１の入力信号」を「第Ｎの入力信号」に、「第２の入力信号」を「第ｎの入力信号」にそれぞれ読み替えたときの説明のとおりである。
【００４２】
＜第４参考形態＞
図１３に第４参考形態を示す。第４参考形態の位相差測定器８００は、第３参考形態の位相差測定器７００の変形例であり、位相差測定器８００と位相差測定器７００とで異なる事項についてのみ説明する。
【００４３】
第４参考形態の位相差測定器８００は、Ｎ−１個のローパスフィルタ５２０（１），５２０（２），５２０（３），…，５２０（Ｎ−１）に替えて１個のローパスフィルタ５２０と、単極Ｎ−１投スイッチ１７０を含んでいる。単極Ｎ−１投スイッチ１７０のＮ−１個の入力側接点はそれぞれＮ−１個の乗算器５１０（１），５１０（２），５１０（３），…，５１０（Ｎ−１）のうちいずれかに接続されており、単極Ｎ−１投スイッチ１７０の１個の出力側接点はローパスフィルタ５２０に接続されている。この構成によると、スイッチ１７０による選択に応じて、Ｎ−１個の位相差（第Ｎの入力信号と第１の入力信号との位相差、第Ｎの入力信号と第２の入力信号との位相差、第Ｎの入力信号と第３の入力信号との位相差、…、第Ｎの入力信号と第Ｎ−１の入力信号との位相差）が時分割で得られる。
【００４４】
上述のいずれの参考形態であっても、乗算器を使用しているため、入力信号が変調信号である場合に直流近傍に相互変調ひずみが発生するので、ローパスフィルタは相互変調ひずみを遮断するようなフィルタであることが好ましい。
【図１】
0006452487.tif 000002
【図２】
0006452487.tif 000003
【図３】
0006452487.tif 000004
【図４】
0006452487.tif 000005
【図５】
0006452487.tif 000006
【図６】
0006452487.tif 000007
【図７】
0006452487.tif 000008
【図８】
0006452487.tif 000009
【図９】
0006452487.tif 000010
【図１０】
0006452487.tif 000011
【図１１】
0006452487.tif 000012
【図１２】
0006452487.tif 000013
【図１３】
0006452487.tif 000014